(57)【特許請求の範囲】
【請求項１】
建物の壁面に形成された壁孔を通って前記壁面に沿って配管されるエアコン用の冷媒管およびドレン管の、前記壁孔から前記壁面に移る屈曲配管部を収容して保護する保護カバーであって、
前記壁面側に位置する基台と、
その基台に着脱可能または開閉可能に組み付けられて前記冷媒管および前記ドレン管を覆う蓋体と、
前記冷媒管の前記屈曲配管部が収容される冷媒管収容部と前記ドレン管の前記屈曲配管部が収容されるドレン管収容部とを仕切るべく、前記ドレン管の前記屈曲配管部を覆う仕切部と、を備え、
前記仕切部は、前記基台に備えられることを特徴とする、冷媒管およびドレン管の保護カバー。
【請求項２】
前記仕切部は、前記基台に取り付けられる仕切部材に設けられることを特徴とする請求項１に記載の、冷媒管およびドレン管の保護カバー。
【請求項３】
前記仕切部は、前記壁孔にコーキング材を充填するための充填孔を有することを特徴とする請求項１または２に記載の、冷媒管およびドレン管の保護カバー。
【請求項４】
建物の壁面に形成された壁孔を通って前記壁面に沿って配管されるエアコン用の冷媒管およびドレン管の、前記壁孔から前記壁面に移る屈曲配管部を収容して保護する保護カバーであって、
前記冷媒管の前記屈曲配管部が収容される冷媒管収容部と前記ドレン管の前記屈曲配管部が収容されるドレン管収容部とを仕切るべく、前記ドレン管の前記屈曲配管部を覆う仕切部を備え、
前記仕切部は、前記壁孔にコーキング材を充填するための充填孔を有することを特徴とする、冷媒管およびドレン管の保護カバー。
【請求項５】
前記仕切部は、前記ドレン管の前記屈曲配管部を、前記壁面側に向かって開口した状態で覆うことを特徴とする請求項１ないし４のいずれか１項に記載の、冷媒管およびドレン管の保護カバー。
【請求項６】
前記仕切部は、一方端が前記壁孔に入り込むように形成されていることを特徴とする請求項１ないし５のいずれか１項に記載の、冷媒管およびドレン管の保護カバー。
【請求項７】
建物の壁面に形成された壁孔を通って前記壁面に沿って配管されるエアコン用の冷媒管およびドレン管の、前記壁孔から前記壁面に移る屈曲配管部を収容して保護し、前記壁面側に位置する基台と、その基台に着脱可能または開閉可能に組み付けられて前記冷媒管および前記ドレン管を覆う蓋体と、からなるカバー体の内部に、前記基台に取り付けられるようにして備えられて、
前記冷媒管の前記屈曲配管部が収容される冷媒管収容部と前記ドレン管の前記屈曲配管部が収容されるドレン管収容部とを仕切るべく、前記ドレン管の前記屈曲配管部を覆うことを特徴とする、冷媒管およびドレン管の仕切部材。
【請求項８】
前記壁孔にコーキング材を充填するための充填孔を有することを特徴とする請求項７に記載の、冷媒管およびドレン管の仕切部材。
【請求項９】
建物の壁面に形成された壁孔を通って前記壁面に沿って配管されるエアコン用の冷媒管およびドレン管の、前記壁孔から前記壁面に移る屈曲配管部を収容して保護するカバー体の内部に備えられて、
前記冷媒管の前記屈曲配管部が収容される冷媒管収容部と前記ドレン管の前記屈曲配管部が収容されるドレン管収容部とを仕切るべく、前記ドレン管の前記屈曲配管部を覆い、かつ、
前記壁孔にコーキング材を充填するための充填孔を有することを特徴とする、冷媒管およびドレン管の仕切部材。
【請求項１０】
前記仕切部材は、前記ドレン管の前記屈曲配管部を、前記壁面側に向かって開口した状態で覆うことを特徴とする請求項７ないし９のいずれか１項に記載の、冷媒管およびドレン管の仕切部材。
【発明の詳細な説明】
【０００１】
【発明の属する技術分野】
この発明は、建物の壁面に形成された壁孔を通って壁面に沿って配管されるエアコン用の冷媒管およびドレン管の、保護カバー並びに仕切部材に関するものである。
【０００２】
【従来の技術および発明が解決しようとする課題】
従来、建物の壁面に形成された壁孔を通って壁面に沿って配管されるエアコン用の冷媒管およびドレン管の、壁孔から壁面に移る屈曲配管部を保護する保護カバーがあった。
【０００３】
しかし、前記従来の保護カバーにあっては、冷媒管とドレン管とが分け隔てなく、保護カバー内に収容されていたため、冷媒管とドレン管とが互いに干渉し合って、場合によっては、ドレン管が冷媒管によって押し潰される虞があった。
【０００４】
この発明は、上記した従来の欠点を解決するためになされたものであり、その目的とするところは、冷媒管およびドレン管の、壁孔から壁面に移る屈曲配管部において、ドレン管が冷媒管によって押し潰される虞がない、冷媒管およびドレン管の、保護カバー並びに仕切部材を提供することにある。
【０００５】
また、他の目的は、ドレン管の配管作業を容易に行うことができる、冷媒管およびドレン管の、保護カバー並びに仕切部材を提供することにある。
【０００６】
【課題を解決するための手段】
この発明に係る冷媒管およびドレン管の、保護カバー並びに仕切部材は、前記目的を達成するために、次の構成からなる。すなわち、
請求項１に記載の発明に係る冷媒管およびドレン管の保護カバーは、建物の壁面に形成された壁孔を通って前記壁面に沿って配管されるエアコン用の冷媒管およびドレン管の、前記壁孔から前記壁面に移る屈曲配管部を収容して保護する保護カバーである。この保護カバーは、前記壁面側に位置する基台と、蓋体と、仕切部と、を備える。ここで、前記蓋体は、前記基台に着脱可能または開閉可能に組み付けられて前記冷媒管および前記ドレン管を覆うものである。前記仕切部は、前記冷媒管の前記屈曲配管部が収容される冷媒管収容部と前記ドレン管の前記屈曲配管部が収容されるドレン管収容部とを仕切るべく、前記ドレン管の前記屈曲配管部を覆うものである。そして、前記仕切部は、前記基台に備えられる。
【０００７】
こうして、冷媒管の、壁孔から壁面に移る屈曲配管部が収容される冷媒管収容部と、ドレン管の、壁孔から壁面に移る屈曲配管部が収容されるドレン管収容部とは、仕切部によって仕切られており、これら冷媒管とドレン管とが屈曲配管部において互いに干渉し合うことを防ぐことができる。
【０００８】
【０００９】
【００１０】
ここにおいて、基台を建物の壁面に配備することで、基台に備えられる仕切部により、ドレン管の屈曲配管部は、ドレン管収容部に収容されるとともに、その仕切部により、冷媒管収容部とドレン管収容部とが仕切られる。そして、基台に蓋体を組み付けることで、冷媒管およびドレン管は、仕切部とともに蓋体に覆われる。
【００１１】
また、請求項２に記載の発明に係る冷媒管およびドレン管の保護カバーのように、前記仕切部は、前記基台に取り付けられる仕切部材に設けられるものであってもよい。こうして、仕切部が、基台に取り付けられる仕切部材に設けられる、つまり基台とは別体の仕切部材に設けられることにより、仕切部材を除く基台を建物の壁面に配備した後においても、ドレン管収容部にドレン管の屈曲配管部を収容するようにして、仕切部が設けられる仕切部材を、基台に取り付けることができる。
【００１２】
また、請求項３に記載の発明に係る冷媒管およびドレン管の保護カバーのように、前記仕切部は、前記壁孔にコーキング材を充填するための充填孔を有するのが望ましい。これにより、壁孔をコーキング材で塞ぐ場合に、仕切部の充填孔からも、コーキング材を充填することができる。
また、請求項４に記載の発明に係る冷媒管およびドレン管の保護カバーは、建物の壁面に形成された壁孔を通って前記壁面に沿って配管されるエアコン用の冷媒管およびドレン管の、前記壁孔から前記壁面に移る屈曲配管部を収容して保護する保護カバーであって、仕切部を備える。ここで、前記仕切部は、前記冷媒管の前記屈曲配管部が収容される冷媒管収容部と前記ドレン管の前記屈曲配管部が収容されるドレン管収容部とを仕切るべく、前記ドレン管の前記屈曲配管部を覆うものである。そして、前記仕切部は、前記壁孔にコーキング材を充填するための充填孔を有する。
こうして、冷媒管の、壁孔から壁面に移る屈曲配管部が収容される冷媒管収容部と、ドレン管の、壁孔から壁面に移る屈曲配管部が収容されるドレン管収容部とは、仕切部によって仕切られており、これら冷媒管とドレン管とが屈曲配管部において互いに干渉し合うことを防ぐことができる。しかも、壁孔をコーキング材で塞ぐ場合に、仕切部の充填孔からも、コーキング材を充填することができる。
また、請求項５に記載の発明に係る冷媒管およびドレン管の保護カバーのように、前記仕切部は、前記ドレン管の前記屈曲配管部を、前記壁面側に向かって開口した状態で覆うものであってもよい。このように、仕切部は、ドレン管の屈曲配管部を、壁面側に向かって開口した状態で覆うものであり、その壁面側から、つまりドレン管収容部の延びる方向と直交する方向となる壁面側から、ドレン管収容部に、ドレン管を入れることができる。
また、請求項６に記載の発明に係る冷媒管およびドレン管の保護カバーのように、前記仕切部は、一方端が前記壁孔に入り込むように形成されてもよい。これにより、冷媒管とドレン管とが、屈曲配管部において、互いに干渉し合うことを確実に防ぐことができる。
【００１３】
また、請求項７に記載の発明に係る冷媒管およびドレン管の仕切部材は、建物の壁面に形成された壁孔を通って前記壁面に沿って配管されるエアコン用の冷媒管およびドレン管の、前記壁孔から前記壁面に移る屈曲配管部を収容して保護し、前記壁面側に位置する基台と、その基台に着脱可能または開閉可能に組み付けられて前記冷媒管および前記ドレン管を覆う蓋体と、からなるカバー体の内部に、前記基台に取り付けられるようにして備えられる。そして、この仕切部材は、前記冷媒管の前記屈曲配管部が収容される冷媒管収容部と前記ドレン管の前記屈曲配管部が収容されるドレン管収容部とを仕切るべく、前記ドレン管の前記屈曲配管部を覆うものである。
【００１４】
こうして、この仕切部材により、冷媒管の、壁孔から壁面に移る屈曲配管部が収容される冷媒管収容部と、ドレン管の、壁孔から壁面に移る屈曲配管部が収容されるドレン管収容部とが、仕切られることとなり、これら冷媒管とドレン管とが屈曲配管部において互いに干渉し合うことを防ぐことができる。ここにおいて、基台を建物の壁面に配備することで、基台に取り付けられる仕切部材により、ドレン管の屈曲配管部は、ドレン管収容部に収容されるとともに、その仕切部材により、冷媒管収容部とドレン管収容部とが仕切られる。そして、基台に蓋体を組み付けることで、冷媒管およびドレン管は、仕切部材とともに蓋体に覆われる。
また、請求項８に記載の発明に係る冷媒管およびドレン管の仕切部材のように、前記壁孔にコーキング材を充填するための充填孔を有するのが望ましい。これにより、壁孔をコーキング材で塞ぐ場合に、仕切部材の充填孔からも、コーキング材を充填することができる。
また、請求項９に記載の発明に係る冷媒管およびドレン管の仕切部材は、建物の壁面に形成された壁孔を通って前記壁面に沿って配管されるエアコン用の冷媒管およびドレン管の、前記壁孔から前記壁面に移る屈曲配管部を収容して保護するカバー体の内部に備えられる。この仕切部材は、前記冷媒管の前記屈曲配管部が収容される冷媒管収容部と前記ドレン管の前記屈曲配管部が収容されるドレン管収容部とを仕切るべく、前記ドレン管の前記屈曲配管部を覆うものである。そして、この仕切部材は、前記壁孔にコーキング材を充填するための充填孔を有する。
こうして、この仕切部材により、冷媒管の、壁孔から壁面に移る屈曲配管部が収容される冷媒管収容部と、ドレン管の、壁孔から壁面に移る屈曲配管部が収容されるドレン管収容部とが、仕切られることとなり、これら冷媒管とドレン管とが屈曲配管部において互いに干渉し合うことを防ぐことができる。しかも、壁孔をコーキング材で塞ぐ場合に、仕切部材の充填孔からも、コーキング材を充填することができる。
【００１５】
また、請求項１０に記載の発明に係る冷媒管およびドレン管の仕切部材のように、前記仕切部材は、前記ドレン管の前記屈曲配管部を、前記壁面側に向かって開口した状態で覆うものであってもよい。このように、仕切部材は、ドレン管の屈曲配管部を、壁面側に向かって開口した状態で覆うものであり、その壁面側から、つまりドレン管収容部の延びる方向と直交する方向となる壁面側から、ドレン管収容部に、ドレン管を入れることができる。
【００１６】
【発明の実施の形態】
以下、この発明に係る冷媒管およびドレン管の、保護カバー並びに仕切部材の実施の形態を図面に基づいて説明する。
【００１７】
図１ないし図９は、本発明に係る冷媒管およびドレン管の、保護カバー並びに仕切部材の一実施の形態を示す。符号１は、建物の壁面としての外壁面であり、１ａは、その外壁面１に穿設されるようにして形成されて、建物の内外に連通する壁孔である。３は、エアコン用の冷媒管であり、壁孔１ａを通って外壁面１に沿って配管されている。こうして、冷媒管３は、壁孔１ａから外壁面１に移る屈曲配管部３ａと、外壁面１に沿う主配管部３ｂとを備えている。４は、エアコン用のドレン管であり、前記冷媒管３に併設されるようにして、壁孔１ａを通って外壁面１に沿って配管されている。従って、このドレン管４は、前記冷媒管３と同様に、壁孔１ａから外壁面１に移る屈曲配管部４ａと、外壁面１に沿う主配管部４ｂとを備えている。
【００１８】
符号５は、屈曲配管部保護カバーであり、冷媒管３、３およびドレン管４の、屈曲配管部３ａ、３ａ、４ａを収容して保護する。６Ｘは、第１の直状保護カバーであり、冷媒管３、３およびドレン管４の、主配管部３ｂ、３ｂ、４ｂを収容して保護する。
【００１９】
ここで、屈曲配管部保護カバー５は、カバー体Ｃ１を備え、このカバー体Ｃ１は、建物の外壁面１側に位置してその外壁面１に固定される基台１０と、その基台１０に着脱可能に組み付けられて冷媒管３およびドレン管４を覆う蓋体１１と、からなる。さらに、屈曲配管部保護カバー５は、基台１０に取り付けられる、基台１０および蓋体１１とは別体成形の仕切部材１２を備える。そして、これら基台１０、蓋体１１および仕切部材１２は、例えば、合成樹脂材料を射出成形して得られる。
【００２０】
屈曲配管部保護カバー５の基台１０は、図２、図４および図５に示すように、建物の外壁面１に当接するよう、上下に長手となる略長方形平板状に形成された底壁１０ａと、その底壁１０ａの、下部部分を除く周縁付近に若干の高さで立設する側壁１０ｂとからなる。そして底壁１０ａには、上部に、建物の壁孔１ａとほぼ同一径となる貫通孔１０ｃが設けられ、さらに、その貫通孔１０ｃがこの底壁１０ａの下端１０ｄと連通するように、貫通孔１０ｃから下端１０ｄに達する連通部１０ｅが設けられている。このように、基台１０は、貫通孔１０ｃおよび連通部１０ｅを通して、冷媒管３およびドレン管４が、外壁面１側からこの基台１０の表側に通過可能となっている。底壁１０ａの中央部の左右両側には、表側に突出し次いで上方に折れ曲がって形成された仕切部材取付部１０ｆ、１０ｆが設けられている。また、底壁１０ａの、上端付近および、下部の左右両側には、この基台１０を、ネジ等の固定具Ｋにより、外壁面１に固定するための被固定孔１０ｇ、１０ｇが設けられている。そして、この基台１０は、下部部分が、第１の直状保護カバー６Ｘの基台１３の上部部分よりも幅広となって重なるように配備される。
【００２１】
屈曲配管部保護カバー５の蓋体１１は、図４に示すように、冷媒管３、３およびドレン管４の屈曲配管部３ａ、３ａ、４ａを覆うように、凹状に形成されており、そして、下部部分は、第１の直状保護カバー６Ｘの蓋体１４の上部部分を覆うように、下方側に開口している。そして、この蓋体１１には、係合凸部（図示せず）が設けられており、この係合凸部と基台１０に設けられる係合凹部（図示せず）とが互いに係合することで、基台１０に蓋体１１が、着脱可能に組み付けられる構造となっている。さらに、蓋体１１の端部となる上端部分は、薄肉に形成された薄肉部１１ａとなっており、収容されたドレン管４を外部に導く透孔を形成するための透孔形成手段となっている。すなわち、薄肉部１１ａを、割り取る等することで、その部分に、透孔が形成される。
【００２２】
屈曲配管部保護カバー５の仕切部材１２は、図２並びに、図６ないし図８に示すように、冷媒管３、３の屈曲配管部３ａ、３ａが収容される冷媒管収容部５ａとドレン管４の屈曲配管部４ａが収容されるドレン管収容部５ｂとを仕切る仕切部１２ａと、基台１０の仕切部材取付部１０ｆ、１０ｆに取り付けられる被取付部１２ｂ、１２ｂとからなる。こうして、この仕切部１２ａは、仕切部材１２に設けられることとなり、また、仕切部材１２は基台１０に取り付けられることから、この仕切部１２ａは、基台１０に備えられることとなる。ここで、図示実施の形態においては、仕切部１２ａは、ドレン管４の屈曲配管部４ａを建物の外壁面１側に向かって開口した状態で覆うべく、その屈曲配管部４ａの、屈曲する外周側つまり手前側および上側、そして左右の両側を覆うように、断面略コの字状に形成されて、ドレン管４の屈曲配管部４ａに沿うとともに一方端１２ｃが建物の壁孔１ａに入り込むように、手前側から奥方に屈曲して延びている（図２、図８参照）。そして、仕切部１２ａの前面の上部付近には、建物の壁孔１ａにコーキング材を充填するための充填孔１２ｄが設けられている。一方、被取付部１２ｂ、１２ｂは、仕切部１２ａの、両側面から互いに離れるようにして、方形平板状となるように延びている。そして、被取付部１２ｂには、上下に長手の長孔となる被取付孔１２ｅが設けられている。こうして、この仕切部材１２は、被取付孔１２ｅが、基台１０の仕切部材取付部１０ｆに嵌められて、次いで下方に移動されて、被取付部１２ｂが基台１０の仕切部材取付部１０ｆの先端に係合することで、基台１０に着脱可能に取り付けられる（図３参照）。
【００２３】
次に、以上の構成からなる、カバー体Ｃ１および仕切部材１２からなる屈曲配管部保護カバー５の作用効果について説明する。冷媒管３、３が収容される冷媒管収容部５ａと、ドレン管４が収容されるドレン管収容部５ｂとは、基台１０に取り付けられる、合成樹脂材料からなる適度な剛性を備えた仕切部材１２の仕切部１２ａによって仕切られている。従って、これら冷媒管３とドレン管４とが屈曲配管部３ａ、４ａにおいて互いに干渉し合うことを防ぐことができ、ドレン管４が冷媒管３によって押し潰される虞がない。さらに、このとき、仕切部１２ａは、一方端１２ｃが壁孔１ａに入り込むように形成されており、冷媒管３とドレン管４とが、屈曲配管部３ａ、４ａにおいて、互いに干渉し合うことを確実に防ぐことができる。
【００２４】
しかも、仕切部材１２の仕切部１２ａは、ドレン管４の屈曲配管部４ａを、建物の外壁面１側に向かって開口した状態で覆うものであり、その外壁面１側から、つまりドレン管収容部５ｂの延びる方向と直交する方向となる外壁面１側から、ドレン管収容部５ｂに、ドレン管４を入れることができ、ドレン管４の配管作業を容易に行うことができる。また、このとき、仕切部１２ａが、基台１０に取り付けられる仕切部材１２に設けられる、つまり基台１０とは別体の仕切部材１２に設けられることにより、仕切部材１２を除く基台１０を建物の外壁面１に配備した後においても、ドレン管収容部５ｂにドレン管４の屈曲配管部４ａを収容するようにして、仕切部１２ａが設けられる仕切部材１２を、基台１０に取り付けることができる。
【００２５】
また、仕切部材１２は、基台１０に着脱可能に取り付けられるものであり、基台１０から蓋体１１の覆いを除き、仕切部材１２を基台１０から取り外すことで、蓋体１１側から、つまり冷媒管収容部５ａおよびドレン管収容部５ｂの延びる方向と直交する方向となる蓋体１１側から、冷媒管収容部５ａおよびドレン管収容部５ｂに、冷媒管３、３およびドレン管４を出し入れすることができる。
【００２６】
また、仕切部材１２の仕切部１２ａは、建物の壁孔１ａにコーキング材を充填するための充填孔１２ｄを有しており、壁孔１ａをコーキング材で塞ぐ場合に、この充填孔１２ｄからも、コーキング材を充填することができ、壁孔１ａをコーキング材で確実に塞ぐことができる。さらに、この充填孔１２ｄを介して、ドレン管収容部５ｂに収容されたドレン管４を、目視したり、手で触れたりすることができ、ドレン管４の配管の有無の確認や、ドレン管４の潰れ部分の有無の確認を行うことができる。
【００２７】
また、蓋体１１に設けられる薄肉部１１ａからなる透孔形成手段により、状況に応じて、この蓋体１１に透孔１１ｂを形成することで、その透孔１１ｂを通して、ドレン管４が外部に導かれる。図９は、この蓋体１１を含む屈曲配管部保護カバー５の他の使用例を示し、実際に透孔１１ｂが形成されて、冷媒管３（図示せず）が上方に配管されるのに対し、ドレン管４が、透孔１１ｂを通って下方に配管されている。但し、この場合には、基台１０への仕切部材１２の取付位置や取り付けに関わる形状を変更する必要がある。
【００２８】
なお、本発明は、上述した実施の形態に限定されるわけではなく、その他種々の変更が可能である。例えば、冷媒管３およびドレン管４は、建物の壁孔１ａを通って外壁面１に沿って配管されるものでなくとも、壁孔を通って内壁面に沿って配管されるものであってもよい。
【００２９】
また、蓋体１１は、基台１０に着脱可能に組み付けられるが、ヒンジ等により開閉可能に組み付けられてもよい。
【００３０】
また、仕切部１２ａは、基台１０とは別体の仕切部材１２に設けられなくとも、基台１０と一体成形されていもよい。こうすることで、部品点数を減らすことができ、運搬、施工等における取り扱いが容易となる。
【００３１】
また、透孔形成手段は、薄肉部１１ａからならなくとも、切欠き、切り込み等、その他の形状、構造であってもよい。また、この薄肉部１１ａは、蓋体１１に設けられなくとも、基台１０に設けられても、蓋体１１と基台１０の両者に設けられてもよい。
【００３２】
また、基台１０には、貫通孔１０ｃから下端１０ｄに達する連通部１０ｅが設けられているが、この連通部１０ｅは、なくともよい。
【００３３】
また、カバー体Ｃ１は、基台１０と蓋体１１とからなるが、基台１０をなくすことで蓋体１１のみからなっていてもよい。この場合、蓋体１１は、直接外壁面１に取り付けられ、また、仕切部材１２も、直接外壁面１に取り付けられる。
【００３４】
【発明の効果】
以上、詳述したところから明らかなように、この発明に係る冷媒管およびドレン管の、保護カバー並びに仕切部材によれば、次の効果がある。
【００３５】
請求項１に記載された冷媒管およびドレン管の保護カバーによれば、冷媒管とドレン管とは、仕切部によって仕切られており、これら冷媒管とドレン管とが、壁孔から壁面に移る屈曲配管部において、互いに干渉し合うことがなく、ドレン管が冷媒管によって押し潰される虞がない。
【００３６】
【００３７】
【００３８】
【００３９】
また、請求項２に記載された冷媒管およびドレン管の保護カバーによれば、仕切部が、基台とは別体の仕切部材に設けられることにより、仕切部材を除く基台を建物の壁面に配備し、その後に、ドレン管収容部にドレン管の屈曲配管部を収容するようにして、仕切部材を、基台に取り付けることもできる。
【００４０】
また、請求項３に記載された冷媒管およびドレン管の保護カバーによれば、仕切部が充填孔を有することにより、壁孔をコーキング材で確実に塞ぐことができる。
また、請求項４に記載された冷媒管およびドレン管の保護カバーによれば、冷媒管とドレン管とは、仕切部によって仕切られており、これら冷媒管とドレン管とが、壁孔から壁面に移る屈曲配管部において、互いに干渉し合うことがなく、ドレン管が冷媒管によって押し潰される虞がない。しかも、仕切部が充填孔を有することにより、壁孔をコーキング材で確実に塞ぐことができる。
また、請求項５に記載された冷媒管およびドレン管の保護カバーによれば、ドレン管を、ドレン管収容部の延びる方向と直交する方向となる壁面側から、ドレン管収容部に入れることができるので、ドレン管の配管作業を容易に行うことができる。
また、請求項６に記載された冷媒管およびドレン管の保護カバーによれば、冷媒管とドレン管とが、屈曲配管部において、互いに干渉し合うことを確実に防ぐことができる。
【００４１】
また、請求項７に記載された冷媒管およびドレン管の仕切部材によれば、この仕切部材によって、冷媒管とドレン管とが、仕切られることとなり、これら冷媒管とドレン管とが、壁孔から壁面に移る屈曲配管部において、互いに干渉し合うことがなく、ドレン管が冷媒管によって押し潰される虞がない。
また、請求項８に記載された冷媒管およびドレン管の仕切部材によれば、この仕切部材が充填孔を有することにより、壁孔をコーキング材で確実に塞ぐことができる。
また、請求項９に記載された冷媒管およびドレン管の仕切部材によれば、この仕切部材によって、冷媒管とドレン管とが、仕切られることとなり、これら冷媒管とドレン管とが、壁孔から壁面に移る屈曲配管部において、互いに干渉し合うことがなく、ドレン管が冷媒管によって押し潰される虞がない。しかも、仕切部材が充填孔を有することにより、壁孔をコーキング材で確実に塞ぐことができる。
【００４２】
また、請求項１０に記載された冷媒管およびドレン管の仕切部材によれば、ドレン管を、ドレン管収容部の延びる方向と直交する方向となる壁面側から、ドレン管収容部に入れることができるので、ドレン管の配管作業を容易に行うことができる。
【図面の簡単な説明】
【図１】この発明に係る冷媒管およびドレン管の、保護カバー並びに仕切部材の一実施の形態の、蓋体を外した状態を示す平面図である。
【図２】同じく、蓋体を組み付けた状態を示す縦断面図である。
【図３】同じく、図１におけるＣ−Ｃ線による拡大断面図である。
【図４】同じく、基台の平面図である。
【図５】同じく、図４におけるＤ−Ｄ線による断面図である。
【図６】同じく、仕切部材の平面図である。
【図７】同じく、仕切部材の正面図である。
【図８】同じく、図６におけるＥ−Ｅ線による断面図である。
【図９】同じく、透孔を形成した例を示す平面図である。
【符号の説明】
１  外壁面（壁面）              １ａ  壁孔
３  冷媒管                      ３ａ  屈曲配管部
４  ドレン管                    ４ａ  屈曲配管部
５  屈曲配管部保護カバー（保護カバー）
５ａ  冷媒管収容部
５ｂ  ドレン管収容部            １０  基台
１１  蓋体                      １２  仕切部材
１２ａ  仕切部                  １２ｃ  一方端
１２ｄ  充填孔                  Ｃ１  カバー体
【図１】
0003543063.tif 000002
【図２】
0003543063.tif 000003
【図３】
0003543063.tif 000004
【図４】
0003543063.tif 000005
【図５】
0003543063.tif 000006
【図６】
0003543063.tif 000007
【図７】
0003543063.tif 000008
【図８】
0003543063.tif 000009
【図９】
0003543063.tif 000010